(57)【要約】  レンズ（２，２Ａ〜２Ｃ）が、光軸（ａ）に対して軸対称でない面形状を有した入射面（２ａ）または出射面（２ｂ）の有効開口（６）の外側に当該面よりも深い１つまたは複数の凹部であるマーキング（７，７Ａ，〜７Ｃ）を有する。
2019116469.tif 000002
【特許請求の範囲】
【請求項１】
光が入射される入射面と、
前記入射面から入射された光が出射される出射面とを備え、
前記入射面または前記出射面は、光軸に対して軸対称でない面形状を有しており、
光軸に対して軸対称でない面形状を有した面は、有効開口の外側に、当該面よりも深い１つまたは複数の凹部を有すること
を特徴とする光学素子。
【請求項２】
前記凹部は、前記有効開口の外側の両端にそれぞれ設けられていること
を特徴とする請求項１記載の光学素子。
【請求項３】
前記凹部は、前記有効開口の外側に設けられた線状凹部であること
を特徴とする請求項１記載の光学素子。
【請求項４】
光軸に対して軸対称でない面形状は、シリンドリカル形状であること
を特徴とする請求項１から請求項３のうちのいずれか１項記載の光学素子。
【請求項５】
光軸に対して軸対称でない面形状は、トロイダル形状であること
を特徴とする請求項１から請求項３のうちのいずれか１項記載の光学素子。
【請求項６】
光軸に対して軸対称でない面形状を有した面は、対称軸を持たない非球面で構成された自由曲面レンズであること
を特徴とする請求項１から請求項３のうちのいずれか１項記載の光学素子。
【請求項７】
前記入射面は、シリンドリカル形状を有し、
前記出射面は、光軸に対して軸対称な凸面形状を有するレンズであること
を特徴とする請求項１から請求項３のうちのいずれか１項記載の光学素子。
【請求項８】
請求項１から請求項３のうちのいずれか１項記載の光学素子と、
前記入射面に光を入射する光源と
を備えたことを特徴とする平行光発生装置。
【発明の詳細な説明】
【技術分野】
【０００１】
この発明は、光軸に対して軸対称でない面形状を入射面または出射面に有する光学素子およびこれを備えた平行光発生装置に関する。
【背景技術】
【０００２】
近年、高効率な照明を実現するための光源が注目されており、発光ダイオード（以下、ＬＥＤと記載する。）またはレーザ素子を使用した固体照明の製品が普及している。
光源から出射された光は、伝搬するにつれて広がるため、広がり角を小さくし、平行光に近い光線として光学系または照射面まで伝搬する必要がある。例えば、光源から出射された光線は、光源の出射側に設置されたレンズによって平行光にされる。【０００３】
光源から出射された光線を平行光として出力する平行光発生装置として、半導体レーザが知られている。半導体レーザは、一般的にレーザ素子の出射側にコリメート用のレンズが設置されている。レーザ素子は、ステムに設置され、コリメート用のレンズは、鏡筒に設置されており、鏡筒は、ステムに接合されている。【０００４】
レーザ素子から出射されたレーザ光がレンズに正確に照射されるように、レーザ素子とレンズは、位置精度および角度精度が厳密に管理された条件下で組み立てられる。
特に、シリンドリカル面といった光軸に対して軸対称でない面形状を入射面または出射面に有するレンズは、光源との間の位置精度に加えて、光源に対する光軸周りの回転角度を基準範囲内に精度よく合わせて実装する必要がある。【０００５】
例えば、特許文献１には、Ｄカットと呼ばれるアライメント用のマークを鏡筒に施したレンズ組み立て体が記載されている。このレンズ組み立て体は、鏡筒に施されたＤカットを用いて、レンズの光軸周りの回転角度を基準範囲内に合わせることが可能である。
【先行技術文献】
【特許文献】
【０００６】
【特許文献１】特開２００９−２４４７８７号公報
【発明の概要】
【発明が解決しようとする課題】
【０００７】
しかしながら、特許文献１に記載されるレンズ組み立て体では、光軸周りの回転角度がずれた状態でレンズが鏡筒に設置されると、鏡筒に施されたＤカットを用いても、鏡筒に設置されたレンズの光軸周りの回転角度を正確に合わせられないという課題があった。【０００８】
この発明は上記課題を解決するものであり、光軸周りの回転角度を正確に合わせることができる光学素子および平行光発生装置を得ることを目的とする。
【課題を解決するための手段】
【０００９】
この発明に係る光学素子は、光が入射される入射面と、入射面から入射された光が出射される出射面とを備える。この構成において、入射面または出射面は、光軸に対して軸対称でない面形状を有しており、光軸に対して軸対称でない面形状を有した面は、有効開口の外側に、当該面よりも深い１つまたは複数の凹部を有している。
【発明の効果】
【００１０】
この発明によれば、光軸に対して軸対称でない面形状を有した面の有効開口の外側に、当該面よりも深い１つまたは複数の凹部を有するので、凹部を基準として光学素子の光軸周りの回転角度を正確に合わせることができる。
【図面の簡単な説明】
【００１１】
【図１】図１Ａは、この発明の実施の形態１に係る平行光発生装置を示す正面図である。図１Ｂは、実施の形態１に係る平行光発生装置を示す側面図である。図１Ｃは、実施の形態１に係る平行光発生装置の構成を示す図である。
【図２】図２Ａは、実施の形態１に係る光学素子を示す側面図である。図２Ｂは、実施の形態１に係る光学素子を示す背面図である。図２Ｃは、図２ＢのＡ−Ａ線で実施の形態１に係る光学素子を切断した形状を示す断面図である。
【図３】図３Ａは、実施の形態１に係る光学素子と光源との位置関係を示す側面図である。図３Ｂは、図２ＢのＡ−Ａ線で切断した光学素子と光源との位置関係を示す側方断面図である。
【図４】図４Ａは、実施の形態１に係る光学素子が設置された鏡筒とマーキングを撮影するカメラとの位置関係を示す図である。図４Ｂは、カメラによって撮影された光学素子の入射面の撮影画像を示す図である。図４Ｃは、実施の形態１に係る光学素子が設置された鏡筒とレーザ素子との位置関係を示す図である。
【図５】実施の形態１に係る光学素子の変形例を示す背面図である。
【図６】実施の形態１に係る光学素子の変形例を示す背面図である。
【図７】実施の形態１に係る光学素子の変形例を示す背面図である。
【発明を実施するための形態】
【００１２】
以下、この発明をより詳細に説明するため、この発明を実施するための形態について、添付の図面に従って説明する。
実施の形態１．
図１Ａは、この発明の実施の形態１に係る平行光発生装置を示す正面図であり、平行光発生装置である半導体レーザ１を示している。図１Ｂは、平行光発生装置を示す側面図であり、半導体レーザ１を側面から見た形状を示している。なお、半導体レーザ１におけるレーザ光の出射側を正面とし、光軸に直交する方向を側面とする。図１Ｃは、平行光発生装置の構成を示す図であり、鏡筒３を除いた半導体レーザ１の内部の構成を示している。
【００１３】
半導体レーザ１は、図１Ａに示すように、実施の形態１に係る光学素子であるレンズ２を備えており、レンズ２は、鏡筒３に設けられている。鏡筒３は、図１Ａおよび図１Ｂに示すように、入射側と出射側が開口した円筒状の部材であり、内部にレンズ２が保持固定される。レンズ２が設けられた鏡筒３は、ステム４に接合されている。
【００１４】
ステム４には、図１Ｃに示すように、リードピン４ａが設けられ、リードピン４ａとは反対側の面にブロック４ｂが設けられる。ブロック４ｂにはサブマウント４ｃが接合されている。サブマウント４ｃは、レーザ素子５の台座となる部材であり、レーザ素子５は、サブマウント４ｃによってステム４に保持固定される。
【００１５】
レーザ素子５は、実施の形態１に係る平行光発生装置の光源であり、例えば、ｘ方向（水平方向）とｙ方向（垂直方向）で出射された光の広がり角が異なる半導体レーザ素子が使用される。なお、ｘ方向は、光軸に直交し、かつ、レーザ素子５の水平方向に沿った方向である。ｙ方向は、光軸に直交し、かつ、レーザ素子５の垂直方向に沿った方向である。ｚ方向は、光軸に沿った方向である。
【００１６】
半導体レーザ素子から出射された光線の水平方向の最小の広がり半角は、典型的な値で、２°〜１５°（半角１／ｅ２）であり、光線の垂直方向の最大の広がり半角は、典型的な値で、１５°〜４５°（半角１／ｅ２）である。レーザ素子５は、水平方向と垂直方向とに有限の発光点幅を有する。半導体レーザ素子の水平方向の発光点幅は、通常、数マイクロメートルから数百マイクロメートルの範囲であり、垂直方向の発光点幅は、通常、１マイクロメートルから数マイクロメートルの範囲である。
【００１７】
レーザ素子５は、発光点が一つの光源であるが、実施の形態１における光源は、これに限定されるものではない。例えば、実施の形態１における光源は、水平方向に複数の発光点が並んだアレイ構造のレーザ素子であってもよい。さらに、実施の形態１における光源は、レーザ光を出射するレーザ素子以外の光源であってもよい。
【００１８】
図２Ａは、実施の形態１に係る光学素子を示す側面図であり、実施の形態１に係る光学素子であるレンズ２を示している。図２Ｂは、実施の形態１に係る光学素子を示す背面図であり、レンズ２の入射面側を背面としている。図２Ｃは、図２ＢのＡ−Ａ線でレンズ２を切断した形状を示す断面図である。
【００１９】
レンズ２は、入射面２ａおよび出射面２ｂを備えており、中心の厚さがｄであり、例えば、屈折率ｎのガラスで作成されている。なお、レンズ２の材料は、プラスチックであってもよく、結晶材料であってもよい。
【００２０】
レンズ２の入射面２ａおよび出射面２ｂには、光源であるレーザ素子５から入射された光の波長に対する不図示の反射防止膜が設けられている。図２Ａに示す例では、レンズ２の入射面２ａは、水平方向の光線に対してシリンドリカルな凹面形状を有しており、出射面２ｂは、光軸に対して軸対称な凸面形状を有している。レンズ２は、屈折率ｎのガラスの研磨およびモールド成形によって作成される。
【００２１】
有効開口６は、レンズ２の入射面２ａにおいて、レーザ素子５から出射されたレーザ光が通過する領域である。図２Ｂでは、有効開口６は、入射面２ａにおけるｙ方向に沿った凹部に形成された矩形の領域である。さらに、有効開口６の外側の両端には、入射面２ａよりも深い凹部であるマーキング７がそれぞれ形成されている。マーキング７は、レーザ素子５が保持固定されたステム４に対して、レンズ２が設置された鏡筒３を接合するときに、光軸周りの回転角度を合わせる基準となる。
【００２２】
レンズ２に入射されるレーザ光の入力パワーとレンズ２から出射されるレーザ光の出力パワーとの比率である透過率は、入射面２ａにマーキング７が設けられても減衰しないことが望ましい。レーザ光の一部がマーキング７に照射されると透過率が減衰するため、マーキング７は有効開口６の外側に設置される。なお、レーザ光の透過率の減衰が許容範囲内であれば、マーキング７は、有効開口６の外側と内側に跨がって形成されてもよい。すなわち、マーキング７の一部が有効開口６の外側に形成されていればよい。
【００２３】
図３Ａは、実施の形態１に係る光学素子と光源との位置関係を示す側面図であり、半導体レーザ１におけるレンズ２とレーザ素子５との水平方向の位置関係を示している。図３Ｂは、図２ＢのＡ−Ａ線で切断したレンズ２とレーザ素子５との垂直方向の位置関係を示す側方断面図である。レーザ素子５からレンズ２の入射面２ａに入射されたレーザ光は、レンズ２によって水平方向および垂直方向のそれぞれについてレンズ２の設計に基づいたコリメートが行われて、出射面２ｂから出射される。
【００２４】
レンズ２の設計では、採用された設計手法に基づいて、レンズ材料（例えば、ガラス）の屈折率ｎ、中心厚さｄ、入射面２ａの垂直方向および水平方向の曲率半径、および、出射面２ｂの垂直方向および水平方向の曲率半径といったパラメータが適切に選択される。また、レンズ２の入射面２ａまたは出射面２ｂが非球面形状である場合、その形状をより詳細に規定するためのコーニック係数、および、高次の非球面係数が選択される。レーザ素子５に対するレンズ２の位置関係は、このような設計に基づいて規定されており、半導体レーザ１では、この位置関係になるようにレンズ２とレーザ素子５が設置されている。
【００２５】
例えば、レンズ２の入射面２ａにおける有効開口６は、図２Ｂに示したように、長手方向を有する矩形形状の領域である。レーザ素子５は、ｘ方向（水平方向）とｙ方向（垂直方向）の発光点幅が異なり、レーザ素子５から出射された光は、ｘ方向よりも、ｙ方向の広がり角が大きい。レンズ２は、レーザ素子５との間で光軸ａを合わせた上で、レーザ素子５に対して、有効開口６の短手方向がｘ方向となり、有効開口６の長手方向がｙ方向となるように設置される。これにより、図３Ａおよび図３Ｂに示すように、レーザ素子５からレンズ２に入射されたレーザ光は、レンズ２によって水平方向にビーム幅ｈにコリメートされ、垂直方向にビーム幅ｐにコリメートされて、出射面２ｂから出射される。
【００２６】
レンズ２は、金型成形で製造してもよい。この場合、金型には、マーキング７を形成するための形状を設けておく。マーキング７を形成するための形状を有した金型を用いることにより、レンズを製造した後に別途マーキングを施す必要がなく、レンズ製造における工程数の増加が抑制されて、レンズ製造を低コスト化することができる。
さらに、マーキング７を形成するための形状を有した金型を用いることで、レンズを製造した後に別途マーキングを施すよりも個体差がなく、光軸ａに対して軸対称でない面形状を有した面に対して正確にマークを施すことが可能である。
ただし、レンズ２の製造は金型成形に限定されるものではなく、レンズ２を製造した後に、追加の工程でレンズ２にマーキング７を設けても構わない。
【００２７】
次に半導体レーザ１の組み立て手順について説明する。
図４Ａは、実施の形態１に係る光学素子であるレンズ２が設置された鏡筒３とマーキング７を撮影するカメラ８との位置関係を示す図であって、図１Ｂに示した半導体レーザ１を組み立てるときの鏡筒３とカメラ８との位置を示している。図４Ｂは、カメラ８によって撮影されたレンズ２の入射面２ａの撮影画像を示す図である。また、図４Ｃは、レンズ２が設置された鏡筒３とレーザ素子５との位置関係を示す図であり、図１Ｂに示した半導体レーザ１を組み立てるときの鏡筒３とレーザ素子５との位置を示している。
【００２８】
まず、図４Ａに示すように、カメラ８が鏡筒３の入射側を撮影する。このとき、図４Ｂに示すように、カメラ８によってレンズ２の入射面２ａが撮影されている。組み立て作業者または実装装置は、カメラ８の撮影画像から入射面２ａの２つのマーキング７を認識し、２つのマーキング７を結ぶ直線ｂを設定する。
【００２９】
続いて、カメラ８の撮影状態を維持しながら、図４Ｃに示すように、鏡筒３を、レーザ素子５が保持固定されたステム４に組み付ける。このとき、直線ｂが、図４Ｃに示す基準線ｃ（ｙ方向で基準となる直線）に対して傾いていれば、組み立て作業者または実装装置は、ｚ方向から見て直線ｂと基準線ｃとが一致するように、不図示の回転機構を用いて、鏡筒３を光軸周りに回転させる。
【００３０】
組み立て作業者または実装装置は、不図示の移動機構を用いて、直線ｂと基準線ｃとが一致した状態で、鏡筒３をステム４に近付けていき、両者を組み付ける。
このように、レンズ２が設置された鏡筒３は、レンズ２に設けられたマーキング７を基準として、光軸周りの回転角度θｚを正確に合わせた状態で、レーザ素子５側に組み付けることが可能である。なお、鏡筒３とステム４は、カメラ８によって撮影されたステム４側の基準箇所に基づいて、レーザ素子５の位置および光軸周りの回転角度が調整されてから接合される。
【００３１】
前述した半導体レーザ１の組み立て方法は一例であり、実施の形態１に係る平行光発生装置の組み立て方法が、この方法に限定されるものではない。
例えば、組み立て作業者または実装装置は、レンズ２の出射方向から撮影された画像を用いてマーキング７の位置を特定しても、上記と同様に、光軸周りの回転角度θｚを正確に調整することができる。
【００３２】
次に、実施の形態１に係る光学素子の変形例について説明する。
図５は、実施の形態１に係る光学素子の変形例を示す背面図であって、マーキング７Ａを設けたレンズ２Ａを示している。図５に示すように、マーキング７Ａは、入射面２ａよりも深い凹部であり、入射面２ａにおける有効開口６の外側の短手方向の両端にそれぞれ設置されている。レンズ２Ａでは、シリンドリカル形状の入射面２ａにおいて有効開口６側へ落ち込む曲面部分にマーキング７Ａが形成されている。このように構成しても、レンズ２Ａが設置された鏡筒３は、マーキング７Ａを基準として光軸周りの回転角度θｚを正確に合わせた状態でレーザ素子５側に組み付けることが可能である。
【００３３】
図６は、実施の形態１に係る光学素子の変形例を示す背面図であって、マーキング７Ｂを設けたレンズ２Ｂを示している。図６において破線で示すように、マーキング７Ｂは、入射面２ａよりも深い線状の凹部であり、入射面２ａにおける有効開口６の外側の短手方向に設置されている。例えば、マーキング７Ｂは、シリンドリカル形状の入射面２ａで水平方向に沿って形成される。このように構成しても、レンズ２Ｂが設置された鏡筒３は、マーキング７Ｂを基準として光軸周りの回転角度θｚを正確に合わせた状態でレーザ素子５側に組み付けることが可能である。
【００３４】
図７は、実施の形態１に係る光学素子の変形例を示す背面図であって、マーキング７Ｃを設けたレンズ２Ｃを示している。図７において破線で示すように、マーキング７Ｃは、入射面２ａよりも深い線状の凹部であり、入射面２ａにおける有効開口６の外側の長手方向に設置されている。例えば、マーキング７Ｃは、シリンドリカル形状の入射面２ａで垂直方向に沿って形成される。このように構成しても、レンズ２Ｃが設置された鏡筒３は、マーキング７Ｃを基準として光軸周りの回転角度θｚを正確に合わせた状態でレーザ素子５側に組み付けることが可能である。
【００３５】
なお、実施の形態１に係る光学素子は、これまで説明した構成に限定されるものではない。例えば、光軸周りの回転角度を調整するときの基準になり得れば、マーキングの数は、３つ以上であってもよい。３つ以上のマーキングを設けたレンズでは、入射側から撮影されたマーキングを頂点とした多角形によって光軸周りの回転角度が認識される。
また、個々のマーキングの形状は、撮影画像から認識可能な形状であればよく、線形状、丸形状、三角以上の多角形状あるいはｘ字形状であってもよい。
【００３６】
さらに、実施の形態１に係る光学素子において、出射面２ｂが、光軸に対して軸対称でない面形状を有した面であってもよい。例えば、出射面２ｂがシリンドリカル形状を有する場合、マーキングは、出射面２ｂに設けられる。この場合、出射側から撮影されたマーキングによって、レンズの光軸周りの回転角度が認識される。
このように構成しても、レンズが設置された鏡筒３を、光軸周りの回転角度θｚを正確に合わせた状態でレーザ素子５側に組み付けることが可能である。
【００３７】
光軸に対して軸対称でない面形状は、トロイダル形状であってもよく、対称軸を持たない非球面で構成された自由曲面レンズであってもよい。すなわち、実施の形態１における凹部（マーキング）は、光軸に対して軸対称でない面形状を有する面であれば、レンズ形状の種類を問わず、適用することができる。
【００３８】
レンズ２，２Ａ〜２Ｃは、入射側が凹形状、出射側が凸形状であるが、実施の形態１に係る光学素子は、この形状に限定されるものではない。例えば、入射側が凸形状、出射側が凹形状であってもよい。このような構造の光学素子であっても前述した効果を得ることができる。
【００３９】
以上のように、実施の形態１に係るレンズ２，２Ａ〜２Ｃは、光軸ａに対して軸対称でない面形状を有した入射面２ａまたは出射面２ｂの有効開口６の外側に当該面よりも深い１つまたは複数の凹部であるマーキング７，７Ａ，〜７Ｃを有する。この構造を有することにより、マーキング７，７Ａ，〜７Ｃを基準として、レンズ２，２Ａ〜２Ｃの光軸ａ周りの回転角度θｚを正確に合わせることができる。また、レンズ２，２Ａ〜２Ｃの金型成形において、マーキング７，７Ａ，〜７Ｃを形成するための形状を有した金型を用いてもよい。これにより、レンズを製造した後に別途マーキングを施す必要がなく、工程数の増加が抑制されて、レンズ製造を低コスト化することができる。
【００４０】
なお、本発明は上記実施の形態に限定されるものではなく、本発明の範囲内において、実施の形態の任意の構成要素の変形もしくは実施の形態の任意の構成要素の省略が可能である。
【産業上の利用可能性】
【００４１】
この発明に係る光学素子は、光軸周りの回転角度を正確に合わせることができるので、照明用のレンズ、光通信用のレンズ、光ピックアップのレンズといった様々な光学機器に利用可能である。
【符号の説明】
【００４２】
１  半導体レーザ、２，２Ａ〜２Ｃ  レンズ、２ａ  入射面、２ｂ  出射面、３  鏡筒、４  ステム、４ａ  リードピン、４ｂ  ブロック、４ｃ  サブマウント、５  レーザ素子、６  有効開口、７，７Ａ〜７Ｃ  マーキング、８  カメラ。
【図１】
2019116469.tif 000003
【図２】
2019116469.tif 000004
【図３】
2019116469.tif 000005
【図４】
2019116469.tif 000006
【図５】
2019116469.tif 000007
【図６】
2019116469.tif 000008
【図７】
2019116469.tif 000009
【手続補正書】
【提出日】平成30年6月13日(2018.6.13)
【手続補正１】
【補正対象書類名】明細書
【補正対象項目名】０００９
【補正方法】変更
【補正の内容】
【０００９】
この発明に係る光学素子は、光が入射される入射面と、入射面から入射された光が出射される出射面とを備えるレンズであって、入射面または出射面は、光軸に対して軸対称でない面形状を有しており、光軸に対して軸対称でない面形状を有した面は、有効開口の外側に、当該面の光軸周りの回転角度を認識するためのマーキングとして、当該面よりも深い１つまたは複数の凹部を有しており、凹部は、レンズ自体に設けられた。
【手続補正２】
【補正対象書類名】特許請求の範囲
【補正対象項目名】全文
【補正方法】変更
【補正の内容】
【特許請求の範囲】
【請求項１】
光が入射される入射面と、
前記入射面から入射された光が出射される出射面とを備えるレンズであって、
前記入射面または前記出射面は、光軸に対して軸対称でない面形状を有しており、
光軸に対して軸対称でない面形状を有した面は、有効開口の外側に、当該面の光軸周りの回転角度を認識するためのマーキングとして、当該面よりも深い１つまたは複数の凹部を有しており、
前記凹部は、前記レンズ自体に設けられたこと
を特徴とする光学素子。
【請求項２】
前記凹部は、前記有効開口の外側の両端にそれぞれ設けられていること
を特徴とする請求項１記載の光学素子。
【請求項３】
前記凹部は、前記有効開口の外側に設けられた線状凹部であること
を特徴とする請求項１記載の光学素子。
【請求項４】
光軸に対して軸対称でない面形状は、シリンドリカル形状であること
を特徴とする請求項１から請求項３のうちのいずれか１項記載の光学素子。
【請求項５】
光軸に対して軸対称でない面形状は、トロイダル形状であること
を特徴とする請求項１から請求項３のうちのいずれか１項記載の光学素子。
【請求項６】
光軸に対して軸対称でない面形状を有した面は、対称軸を持たない非球面で構成された自由曲面レンズであること
を特徴とする請求項１から請求項３のうちのいずれか１項記載の光学素子。
【請求項７】
前記入射面は、シリンドリカル形状を有し、
前記出射面は、光軸に対して軸対称な凸面形状を有するレンズであること
を特徴とする請求項１から請求項３のうちのいずれか１項記載の光学素子。
【請求項８】
請求項１から請求項３のうちのいずれか１項記載の光学素子と、
前記入射面に光を入射する光源と
を備えたことを特徴とする平行光発生装置。
【手続補正書】
【提出日】平成30年10月5日(2018.10.5)
【手続補正１】
【補正対象書類名】明細書
【補正対象項目名】０００９
【補正方法】変更
【補正の内容】
【０００９】
この発明に係る光学素子は、光が入射される入射面と、入射面から入射された光が出射される出射面とを備えるレンズであって、入射面または出射面は、シリンドリカル形状を有しており、シリンドリカル形状を有した面は、有効開口の外側に、当該面の光軸周りの回転角度を認識するためのマーキングとして、当該面よりも深い１つまたは複数の凹部を有しており、凹部は、当該面におけるシリンドリカル形状の部分に設けられた。
【手続補正２】
【補正対象書類名】特許請求の範囲
【補正対象項目名】全文
【補正方法】変更
【補正の内容】
【特許請求の範囲】
【請求項１】
光が入射される入射面と、
前記入射面から入射された光が出射される出射面とを備えるレンズであって、
前記入射面または前記出射面は、シリンドリカル形状を有しており、
シリンドリカル形状を有した面は、有効開口の外側に、当該面の光軸周りの回転角度を認識するためのマーキングとして、当該面よりも深い１つまたは複数の凹部を有しており、
前記凹部は、当該面におけるシリンドリカル形状の部分に設けられたこと
を特徴とする光学素子。
【請求項２】
前記凹部は、前記有効開口の外側の両端にそれぞれ設けられていること
を特徴とする請求項１記載の光学素子。
【請求項３】
前記凹部は、前記有効開口の外側に設けられた線状凹部であること
を特徴とする請求項１記載の光学素子。
【請求項４】
前記入射面は、シリンドリカル形状を有し、
前記出射面は、光軸に対して軸対称な凸面形状を有するレンズであること
を特徴とする請求項１から請求項３のうちのいずれか１項記載の光学素子。
【請求項５】
請求項１から請求項３のうちのいずれか１項記載の光学素子と、
前記入射面に光を入射する光源と
を備えたことを特徴とする平行光発生装置。
【国際調査報告】
2019116469.tif 000010
2019116469.tif 000011
2019116469.tif 000012
2019116469.tif 000013